(57)【特許請求の範囲】
【請求項１】
情報処理装置において、高分子の複屈折率を算出する複屈折率計算方法であって、
分子動力学シミュレーションを行うための、前記高分子に係る分子の種類、モノマー数及びポリマー数を含むパラメータの入力を受け付けて、当該パラメータに基づいてモノマー構造を生成して、当該パラメータと生成したモノマー構造とに基づいて、同じセルが繰り返して存在する周期境界条件を有する前記高分子のモデルを生成して、当該モデルをアモルファス状態にするアモルファス状態生成ステップと、
前記アモルファス状態生成ステップにおいてアモルファス状態にされたモデルを、予め設定された延伸速度及び延伸比に基づいて前記セルの変形を行い分子動力学シミュレーションによって延伸させる延伸ステップと、
予め設定された計算式に基づき、前記延伸ステップにおいて延伸されたモデルの原子間結合のベクトルを算出して、当該算出したベクトルを用いて前記モデルの分極率を算出して、当該算出した分極率に基づき前記モデルの屈折率を算出して、当該算出した屈折率に基づき、当該モデルの複屈折率を算出する複屈折率算出ステップと、
前記複屈折率算出ステップにおいて算出された複屈折率を出力する出力ステップと、
を有する複屈折率計算方法。
【請求項２】
前記延伸ステップにおける前記延伸は、前記モデルの体積を一定として、予め設定された一方向に延伸させることを特徴とする請求項１に記載の複屈折率計算方法。
【請求項３】
前記延伸ステップにおいて、緩和用のアンサンブルを用いた分子動力学シミュレーションによって前記延伸された前記モデルを緩和することを特徴とする請求項１又は２に記載の複屈折率計算方法。
【請求項４】
前記延伸ステップにおける前記緩和は、前記モデルの体積を一定として行われることを特徴とする請求項３に記載の複屈折率計算方法。
【請求項５】
前記複屈折率算出ステップにおいて、前記モデルの原子間結合のベクトルを算出して、当該算出したベクトルと当該原子間結合の種類とにより決まる結合分極パラメータを用いて前記モデルの分極率を算出して、当該算出した分極率に基づき前記モデルの屈折率を算出して、当該算出した屈折率に基づき複屈折率を算出することを特徴とする請求項１〜４の何れか一項に記載の複屈折率計算方法。
【請求項６】
前記複屈折率算出ステップにおいて算出された複屈折率が予め設定された終了条件を満足するか否かを判断して、満足していると判断されたら当該複屈折率を出力ステップにおいて出力させ、満足していないと判断されたら前記パラメータを変更して当該変更したパラメータに基づいて再度前記高分子のモデルを生成して複屈折率を算出させる判断ステップを更に有することを特徴とする請求項１〜５の何れか一項に記載の複屈折率計算方法。
【請求項７】
前記終了条件は、算出された複屈折率が予め設定された上限の閾値と下限の閾値とから定まる範囲に入っているというものであり、
前記判断ステップにおいて、前記パラメータの変更として、前記高分子を構成するモノマーを変更する、又は前記高分子に新たなモノマーの共重合を行う、
ことを特徴とする請求項６に記載の複屈折率計算方法。
【請求項８】
前記判断ステップにおいて、算出された複屈折率が前記範囲よりも大きかったと判断された場合、前記モノマーの変更又は前記新たなモノマーの共重合の対象のモノマーを、芳香族炭化水素基を有する単位とすることを特徴とする請求項７に記載の複屈折率計算方法。
【請求項９】
前記判断ステップにおいて、算出された複屈折率が前記範囲よりも小さかったと判断された場合、前記モノマーの変更又は前記新たなモノマーの共重合の対象のモノマーを、エーテル基を有する単位とすることを特徴とする請求項７又は８に記載の複屈折率計算方法。
【請求項１０】
高分子の複屈折率を算出する複屈折率計算装置であって、
分子動力学シミュレーションを行うための、前記高分子に係る分子の種類、モノマー数及びポリマー数を含むパラメータの入力を受け付けて、当該パラメータに基づいてモノマー構造を生成して、当該パラメータと生成したモノマー構造とに基づいて、同じセルが繰り返して存在する周期境界条件を有する前記高分子のモデルを生成して、当該モデルをアモルファス状態にするアモルファス状態生成部と、
前記アモルファス状態生成部によりアモルファス状態にされたモデルを、予め設定された延伸速度及び延伸比に基づいて前記セルの変形を行い分子動力学シミュレーションによって延伸させる延伸部と、
予め設定された計算式に基づき、前記延伸部により延伸されたモデルの原子間結合のベクトルを算出して、当該算出したベクトルを用いて前記モデルの分極率を算出して、当該算出した分極率に基づき前記モデルの屈折率を算出して、当該算出した屈折率に基づき、当該モデルの複屈折率を算出する複屈折率算出部と、
前記複屈折率算出部により算出された複屈折率を出力する出力部と、
を備える複屈折率計算装置。
【請求項１１】
前記複屈折率算出手段によって算出された複屈折率が予め設定された終了条件を満足するか否かを判断して、満足していると判断されたら当該複屈折率を出力手段によって出力させ、満足していないと判断されたら前記パラメータを変更して当該変更したパラメータに基づいて再度前記高分子のモデルを生成して複屈折率を算出させる判断手段を更に有することを特徴とする請求項１０に記載の複屈折率計算装置。
【請求項１２】
前記終了条件は、算出された複屈折率が予め設定された上限の閾値と下限の閾値とから定まる範囲に入っているというものであり、
前記判断手段は、前記パラメータの変更として、前記高分子を構成するモノマーを変更する、又は前記高分子に新たなモノマーの共重合を行う、
ことを特徴とする請求項１１に記載の複屈折率計算装置。
【請求項１３】
前記判断手段は、算出された複屈折率が前記範囲よりも大きかったと判断された場合、前記モノマーの変更又は前記新たなモノマーの共重合の対象のモノマーを、芳香族炭化水素基を有する単位とすることを特徴とする請求項１２に記載の複屈折率計算装置。
【請求項１４】
前記判断手段は、算出された複屈折率が前記範囲よりも小さかったと判断された場合、前記モノマーの変更又は前記新たなモノマーの共重合の対象のモノマーを、エーテル基を有する単位とすることを特徴とする請求項１２又は１３に記載の複屈折率計算装置。
【発明の詳細な説明】
【技術分野】
【０００１】
本発明は、高分子の複屈折率を算出する複屈折率計算方法及び複屈折率計算装置に関する。
【背景技術】
【０００２】
特定の性能を有する高分子を新たに重合するには、候補となる高分子の数が多い、価格が高い、合成が難しい等の問題点がある。そのため、従来からコンピュータケミストリーの分野において、既存あるいは新規の物質について高分子のモデルを作成しコンピュータを用いて当該高分子の物性を計算することが一般に行われている。この方法は、新規な高分子の設計のための構造の推定にも役立っている。
【０００３】
高分子を用いた延伸フィルムにおいて、延伸により発現する複屈折によってフィルムの性能を得る場合がある。このようにして得られる性能としては、例えば反射防止等の性能がある。複屈折率を計算により求める試みが報告されている（例えば、下記の非特許文献１参照）。
【非特許文献１】相川泰，「高分子の複屈折の計算法と実測による検証」，高分子論文集，Ｖｏｌ．５１，Ｎｏ．４，ｐｐ．２３７−２４３，１９９４年
【発明の開示】
【発明が解決しようとする課題】
【０００４】
しかしながら、上記の非特許文献１に記載されている方法は、モノマー構造の分極率を計算して固有複屈折を計算するものであり、ポリマーの配向を考慮したものではない。従って、延伸して配向させたフィルムの複屈折率の（精度の良い）計算はできなかった。
【０００５】
本発明は、上記の問題点を解決するためになされたものであり、延伸して配向させた高分子の複屈折率を精度良く計算することができる複屈折率計算方法及び複屈折率計算装置を提供することを目的とする。
【課題を解決するための手段】
【０００６】
本発明に係る複屈折率計算方法は、情報処理装置において、高分子の複屈折率を算出する複屈折率計算方法であって、分子動力学シミュレーションを行うための、高分子に係る分子の種類、モノマー数及びポリマー数を含むパラメータの入力を受け付けて、当該パラメータに基づいてモノマー構造を生成して、当該パラメータと生成したモノマー構造とに基づいて、同じセルが繰り返して存在する周期境界条件を有する高分子のモデルを生成して、当該モデルをアモルファス状態にするアモルファス状態生成ステップと、アモルファス状態生成ステップにおいてアモルファス状態にされたモデルを、予め設定された延伸速度及び延伸比に基づいてセルの変形を行い分子動力学シミュレーションによって延伸させる延伸ステップと、予め設定された計算式に基づき、延伸ステップにおいて延伸されたモデルの原子間結合のベクトルを算出して、当該算出したベクトルを用いてモデルの分極率を算出して、当該算出した分極率に基づきモデルの屈折率を算出して、当該算出した屈折率に基づき、当該モデルの複屈折率を算出する複屈折率算出ステップと、複屈折率算出ステップにおいて算出された複屈折率を出力する出力ステップと、を有することを特徴とする。
【０００７】
本発明に係る複屈折率計算方法は、高分子のモデルを延伸させて配向させ、そのモデルの複屈折率を計算するものである。従って、高分子の配向の影響が考慮されるため、延伸して配向させた高分子の複屈折率を精度良く計算することができる。
【０００８】
また、延伸ステップにおける延伸は、モデルの体積を一定として、予め設定された一方向に延伸させることが好ましい。この構成によれば、実際の高分子に即した状態が得られるので複屈折率をより精度良く計算することができる。
【０００９】
また、延伸ステップにおいて、緩和用のアンサンブルを用いた分子動力学シミュレーションによって延伸されたモデルを緩和することが好ましい。この構成によれば、実際の高分子に即した状態が得られるので複屈折率をより精度良く計算することができる。ここで、「緩和」とは、計算により、モデルを平衡状態に近づけることをいう。
【００１０】
また、延伸ステップにおける緩和は、モデルの体積を一定として行われることが好ましい。この構成によれば、実際の高分子に即した状態が得られるので複屈折率をより精度良く計算することができる。
【００１１】
また、複屈折率算出ステップにおいて、モデルの原子間結合のベクトルを算出して、当該算出したベクトルと当該原子間結合の種類とにより決まる結合分極パラメータを用いてモデルの分極率を算出して、当該算出した分極率に基づきモデルの屈折率を算出して、当該算出した屈折率に基づき複屈折率を算出することが好ましい。この構成によれば、確実に高分子の複屈折率を計算することができる。
【００１２】
また、複屈折率計算方法は、複屈折率算出ステップにおいて算出された複屈折率が予め設定された終了条件を満足するか否かを判断して、満足していると判断されたら当該複屈折率を出力ステップにおいて出力させ、満足していないと判断されたらパラメータを変更して当該変更したパラメータに基づいて再度高分子のモデルを生成して複屈折率を算出させる判断ステップを更に有することが好ましい。この構成によれば、所望の複屈折率を有する高分子のパラメータを知ることができるので、高分子の設計を更に容易に行うことができる。
また、終了条件は、算出された複屈折率が予め設定された上限の閾値と下限の閾値とから定まる範囲に入っているというものであり、判断ステップにおいて、パラメータの変更として、高分子を構成するモノマーを変更する、又は高分子に新たなモノマーの共重合を行う、ことが好ましい。
また、判断ステップにおいて、算出された複屈折率が範囲よりも大きかったと判断された場合、モノマーの変更又は新たなモノマーの共重合の対象のモノマーを、芳香族炭化水素基を有する単位とすることが好ましい。
また、判断ステップにおいて、算出された複屈折率が範囲よりも小さかったと判断された場合、モノマーの変更又は新たなモノマーの共重合の対象のモノマーを、エーテル基を有する単位とすることが好ましい。
【００１３】
即ち、本発明に係る複屈折率計算装置は、高分子の複屈折率を算出する複屈折率計算装置であって、分子動力学シミュレーションを行うための、高分子に係る分子の種類、モノマー数及びポリマー数を含むパラメータの入力を受け付けて、当該パラメータに基づいてモノマー構造を生成して、当該パラメータと生成したモノマー構造とに基づいて、同じセルが繰り返して存在する周期境界条件を有する高分子のモデルを生成して、当該モデルをアモルファス状態にするアモルファス状態生成部と、アモルファス状態生成部によりアモルファス状態にされたモデルを、予め設定された延伸速度及び延伸比に基づいてセルの変形を行い分子動力学シミュレーションによって延伸させる延伸部と、予め設定された計算式に基づき、延伸部により延伸されたモデルの原子間結合のベクトルを算出して、当該算出したベクトルを用いてモデルの分極率を算出して、当該算出した分極率に基づきモデルの屈折率を算出して、当該算出した屈折率に基づき、当該モデルの複屈折率を算出する複屈折率算出部と、複屈折率算出部により算出された複屈折率を出力する出力部と、を備えることを特徴とする。
また、複屈折率計算装置は、複屈折率算出手段によって算出された複屈折率が予め設定された終了条件を満足するか否かを判断して、満足していると判断されたら当該複屈折率を出力手段によって出力させ、満足していないと判断されたらパラメータを変更して当該変更したパラメータに基づいて再度高分子のモデルを生成して複屈折率を算出させる判断手段を更に有することが好ましい。
また、終了条件は、算出された複屈折率が予め設定された上限の閾値と下限の閾値とから定まる範囲に入っているというものであり、判断手段は、パラメータの変更として、高分子を構成するモノマーを変更する、又は高分子に新たなモノマーの共重合を行う、ことが好ましい。
また、判断手段は、算出された複屈折率が範囲よりも大きかったと判断された場合、モノマーの変更又は新たなモノマーの共重合の対象のモノマーを、芳香族炭化水素基を有する単位とすることが好ましい。
また、判断手段は、算出された複屈折率が範囲よりも小さかったと判断された場合、モノマーの変更又は新たなモノマーの共重合の対象のモノマーを、エーテル基を有する単位とすることが好ましい。
【発明の効果】
【００１４】
本発明は、高分子のモデルを延伸させて配向させ、そのモデルの複屈折率を計算するものである。従って本発明によれば、高分子の配向の影響が考慮されるため、延伸して配向させた高分子の複屈折率を精度良く計算することができる。
【発明を実施するための最良の形態】
【００１５】
以下、図面とともに本発明に係る複屈折率計算方法及び複屈折率計算装置の好適な実施形態について詳細に説明する。なお、図面の説明においては同一要素には同一符号を付し、重複する説明を省略する。
【００１６】
本実施形態に係る複屈折率計算方法は、高分子の複屈折率を算出するものである。複屈折率の算出は、分子動力学シミュレーションに基づいて行われる。複屈折率の算出の対象となる高分子は特に限定はないが、例えばフィルムやシート、成型品等に用いられるものである。また、複屈折率の算出の対象となる高分子には、複数の高分子の集合体も含まれる。
【００１７】
図１に、本実施形態に係る複屈折率計算方法が実行される複屈折率計算装置１０を示す。複屈折率計算装置１０は、具体的には、ワークステーションやＰＣ（Personal Computer）等の情報処理装置である。複屈折率計算装置１０は、例えばＣＰＵ（Central Processing Unit）やメモリ等のハードウェアにより構成されており、これらの構成要素が動作することにより後述する複屈折率計算装置１０としての機能が発揮される。なお、本実施形態に係る複屈折率計算方法を情報処理装置に対して実行させるプログラムが複屈折率計算装置１０において実行されることにより、本方法が行われてもよい。
【００１８】
図１に示すように複屈折率計算装置１０は、アモルファス状態生成部１１と、延伸部１２と、複屈折率算出部１３と、出力部１４と、判断部１５とを備えて構成される。また、複屈折率計算装置１０は、外部装置２０と接続されており、外部装置２０から情報が入力される。
【００１９】
アモルファス状態生成部１１は、パラメータの入力を受け付けて、当該パラメータに基づいて高分子のモデルを生成して、当該モデルをアモルファス状態にする。パラメータの入力は、外部装置２０からユーザにより行われる。また、外部装置２０から入力されたパラメータを予め複屈折率計算装置１０に格納させておき、格納されたパラメータを入力としてもよい。
【００２０】
延伸部１２は、アモルファス状態生成部１１により、アモルファス状態にされたモデルを延伸させる。複屈折率算出部１３は、延伸部１２により延伸されたモデルの複屈折率を算出する。出力部１４は、複屈折率算出部１３により算出された複屈折率を出力する。
【００２１】
判断部１５は、複屈折率の算出の一連の処理の繰り返しを行うか否かを判断する。具体的には、判断部１５は、複屈折率算出部１３により算出された複屈折率が予め設定された終了条件を満足するか否かを判断して、満足していると判断されたら当該複屈折率を出力部１４に出力させ、満足していないと判断されたら上記パラメータを変更して当該変更したパラメータに基づいて再度高分子のモデルを生成して複屈折率を算出させる。
【００２２】
上記の各構成要素の処理は、全て情報処理として行われる。それぞれの処理の具体的内容については、より詳細に後述する。
【００２３】
以下、図２及び図３のフローチャートを用いて、本実施形態に係る複屈折率計算方法（複屈折率計算装置１０において実行される処理）を説明する。まず、複屈折率計算方法の基本的な処理を第１の処理として図２を用いて説明して、続いて図３を用いて、より実際的な処理について、第２の処理として説明する。
【００２４】
［第１の処理］
まず、アモルファス状態生成部１１が、計算を行う領域であるセルを生成し、複屈折率の算出対象の高分子のモデルを生成して、当該モデルをアモルファス状態にする（Ｓ０１、アモルファス状態生成ステップ）。モデルの生成は、ユーザに入力された、あるいは予め複屈折率計算装置１０に格納されているパラメータの入力を受け付けて、当該パラメータに基づいて行われる。入力されるパラメータとしては、具体的には、分子の種類、モノマー数及びポリマー数等がある。また、分子動力学シミュレーションに用いられる原子や分子間の相互作用力を表す計算式等を予め設定しておく。高分子のモデルは、具体的には、高分子を構成する原子の座標及びポテンシャル等のデータを予め定められた条件に合致するように生成される。
【００２５】
高分子のモデルの生成は、例えば市販されている分子構造体モデルを用いて、モノマー構造を生成し、モノマー構造を基に行うこととしてもよい。セルの形状に関しては、立方体であることが、偏りのないモデル構造計算の観点から好ましい。高分子のモデルを構成するモノマー数については、特に制限はないが、少なすぎると末端モノマーの影響が強くなりすぎ実際の値との乖離が大きくなり好ましくない。モノマー数は多い方が精度上では好ましいが、多すぎると計算時間が長くなりすぎる。上記を考慮して、具体的には、モノマー数としては３０〜６００程度が好ましい。セルの境界に関しては、３次元方向に同じセルが繰り返して存在する３次元周期境界条件を用いることが、計算精度の観点から好ましい。
【００２６】
ポリマー数についても、特に制限はないが、少なすぎるとポリマー同士の影響が弱く、実際の値との乖離が大きくなり好ましくない。ポリマー数は多い方が精度上では好ましいが、多すぎると計算時間が長くなりすぎる。上記を考慮して、具体的には、ポリマー数としては３〜１０程度が好ましい。
【００２７】
また、アモルファス状態の生成は、アンサンブルに基づいて分子動力学シミュレーションの方法により行われる。アンサンブルは、計算手法を指定するものであり、予めユーザ等により設定されている。具体的には、温度、圧力並びに密度等の必要な条件、シミュレーションの時間刻み、及び計算時間等が設定される。以下、モデルに対する分子動力学シミュレーションは、同様に予め設定されたアンサンブル及び上記の条件に基づいて行われる。
【００２８】
アモルファス状態の生成において、偏りのないアモルファス状態を生成するために、例えば、森上賢治ら著、高分子論文集vol.53，No.12，pp852〜859（Dec.,1996）に記載されているような方法を用いることができる。その方法とは、(i)アンサンブルとしてＮＶＥを用い高分子のモデルを低密度で構造安定化計算を行った後、(ii)アンサンブルとしてＮＰＴを用い高圧で圧縮し、(iii)再度、アンサンブルとしてＮＰＴを用い常圧に戻す、というものである。(i)においては、密度０．０１〜０．１と実際より密度が低くなる体積を選択することが好ましい。これは初期構造作成にあたりモノマー同士の接触等が起こりにくく構造安定化計算を行いやすいためである。(ii)においては、圧力は、高分子モデルを圧縮するため、１０ＭＰａ〜１００００ＭＰａとすることが好ましい。温度は、任意に設定することができる。(iii)においては、圧力は常圧とし、温度は任意に設定することができる。アモルファス状態の生成において、セルの形状は立方体であることが、偏りのないモデル構造計算の観点から好ましい。また、アモルファス状態の生成は、例えば、M. Fukuda and S. Kuwajima, "Molecular Dynamics Simulation of MoistureDiffusion in Polyethylen Beyond 10ns Duration", J. Chem. Phys., 107,2149-2159 (1997)に記載されている方法に基づいてもよい。
【００２９】
時間刻みは、短いほど精度が高くなり好ましいが、計算に要する時間が長くなるため、０．１〜１０ｆｓ程度とするのがよい。計算時間は、モデルが定常状態になるまでの時間であるのが好ましい。時間刻み及び計算時間に関しては、以下の処理においても同様に設定する。
【００３０】
なお、分子動力学シミュレーションに用いられる、原子や分子間の相互作用力を計算する計算式、及びその他のパラメータには、一般によく知られているもの（例えば川添良幸・三上益弘・大野かおる著『コンピュータ・シミュレーションによる物質化学』共立出版、pp.55〜82に記載されているもの）を用いることができる。高分子の分子動力学シミュレーションでは、結合力ポテンシャルと非結合ポテンシャルとを用いることができる。結合ポテンシャルは、結合距離を平衡値に保つ分子間の結合長ポテンシャル、結合角を平衡角に保つ結合角ポテンシャル、及び取り得る２面角を制御するトーション・ポテンシャルを含むことができる。非結合ポテンシャルは、分子内においてレナード・ジョーンズポテンシャルを用いることができる。
【００３１】
続いて、延伸部１２が、アモルファス状態生成ステップにおいてアモルファス状態にされたモデルを延伸させる（Ｓ０２、延伸ステップ）。ここでの延伸方法は、セルに変形テンソルを与える方法、セルに単純な伸張変形を与える方法、セルの変形と同時に全原子の座標に対してそのセルの変形に対応したアフィン変換を与える方法等がある。セルに単純な伸張変形を与える方法が、実際の変形と条件が近く好ましい。具体的には以下のように行われる。延伸は、予め定められた延伸用のアンサンブルに基づいて分子動力学シミュレーションの方法により行われる。延伸用のアンサンブルとしては、実際のフィルムやシートの延伸を考慮して、体積を一定として予め設定された一方向にセルを延伸させるものを用いることが好ましい。立方体のセルを、体積を一定として一方向に延伸させる場合、セルが直方体となるように頂点の角度を９０度に固定することが好ましい。延伸方向以外の２方向のセルの辺の長さに関しては、等しい長さにすることが、偏りのない延伸の観点から好ましい。体積一定で延伸させるアンサンブルとして、アンサンブルＮＶＴを用いることが好ましい。ここで、体積一定とは、予め高分子の体積を設定しておき、この延伸における分子動力学シミュレーションにおいてその体積を一定として処理するということである。
【００３２】
高分子のモデルを延伸させるためには、条件として、延伸速度及び延伸比を予めパラメータとして設定しておく必要がある。アンサンブルＮＶＴを用いる場合、それ以外の計算条件として、温度を予め設定しておく。温度については、特に制限はなく、任意に設定することができる。体積については、特に制限はなく、設定した温度における密度から算出される体積にすることができる。延伸比については、大きくしすぎると高分子が伸びきってしまうため、適度な値、例えば１０以下とするのが好ましい。延伸速度については、任意に設定することができる。計算時間は延伸速度を調節することによって調節することができるが、実用的な延伸速度に近い方が、計算精度の観点から好ましい。
【００３３】
続いて、延伸部１２は、延伸されたモデルを緩和する（Ｓ０３、延伸ステップにおける緩和）。緩和は、予め定められた緩和用のアンサンブルに基づいて分子動力学シミュレーションの方法により行われる。緩和用のアンサンブルとしては、実際のフィルムやシートの延伸を考慮して、体積を一定として緩和させるものを用いることが好ましい。体積一定で緩和させる場合、セルの形状は一定とすることが好ましい。体積一定で緩和させるアンサンブルとして、アンサンブルＮＶＴ又はアンサンブルＮＶＥを用いることが好ましい。
【００３４】
アンサンブルＮＶＴを用いる場合、緩和の条件として体積及び温度を予め設定しておく。温度については、特に制限はなく、延伸の際の温度にすることができる。体積については、特に制限はないが、延伸を行った体積にするのが好ましい。アンサンブルＮＶＥを用いる場合、緩和の条件として体積とエネルギーとを予め設定しておく。体積及びエネルギーに関しては、特に制限はないが、延伸を行った体積及びエネルギーにするのが好ましい。上記の延伸ステップ（Ｓ０２，Ｓ０３）により、モデルにおけるポリマーは配向した状態となる。
【００３５】
なお、モデルの緩和（Ｓ０３）は、本実施形態において必須ではなく、緩和を行わなくても十分精度がよい複屈折率が得られる場合等には行われなくてもよい。
【００３６】
続いて、複屈折率算出部１３が、延伸ステップにおいて延伸され緩和されたモデルの複屈折率を算出する（Ｓ０４、複屈折率算出ステップ）。複屈折率の算出は具体的には、以下のように行われる。
【００３７】
まず、高分子のモデルの原子間結合のベクトルを算出する（Ｓ０４ａ）。具体的には、モデルに含まれる原子の座標から、全ての原子間結合のベクトルを算出する。続いて、上記のように算出したベクトルと当該原子間結合の種類とにより決まる結合分極パラメータを用いて、高分子のモデルにおける分極率を算出する（Ｓ０４ｂ）。モデルにおける座標軸方向であるｘ軸方向、ｙ軸方向及びｚ軸方向における分極率Ｐｘ，Ｐｙ，Ｐｚは、具体的には以下の式を用いて算出される。
【数１】
0004791255.tif 000002
式（１）において、ｂ１及びｂ２は、ベクトルと原子間結合の種類とにより決まる結合分極パラメータであり、所与の値である。また、θｘ，θｙ，θｚは、各原子間結合の結合軸とそれぞれの座標軸（ｘ軸，ｙ軸，ｚ軸）がなす角度である。Σは、各原子間結合の値の和である。
【００３８】
続いて、算出された分極率Ｐｘ，Ｐｙ，Ｐｚに基づきモデルの屈折率を算出する（Ｓ０４ｃ）。屈折率は、具体的には、座標軸方向毎に以下の式を用いて算出される。
【数２】
0004791255.tif 000003
式（２）において、ｎｘ，ｎｙ，ｎｚは、座標軸方向毎の屈折率である。また、Ｖは１つのモノマーの分子容であり、予め設定された値、あるいは算出された値である。
【００３９】
続いて、算出された屈折率ｎｘ，ｎｙ，ｎｚに基づき、複屈折率Δｎを算出する（Ｓ０４ｄ）。複屈折率Δｎは、具体的には、座標軸方向毎に以下の式を用いて算出される。
【数３】
0004791255.tif 000004
なお、式（３）において、ｚ軸方向はＳ０２における延伸の方向であり、複屈折率Δｎは、ｚ軸方向に対する複屈折率である。
【００４０】
続いて、出力部１４が、複屈折率算出ステップにおいて算出された複屈折率を出力する（Ｓ０５、出力ステップ）。出力は、ユーザが複屈折率の情報を参照できるように、例えば、複屈折率計算装置１０が備えるディスプレイ等の表示装置に表示することにより行われる。それ以外でも、別の装置への出力が行われてもよい。また、複屈折率の出力の際に、併せて当該複屈折率の算出の対象となった高分子の構造に関する情報が出力されてもよい。
【００４１】
上述したように本実施形態に係る複屈折率計算方法は、高分子（ポリマー）のモデルを延伸させて配向させ、そのモデルの複屈折率を計算するものである。従って、高分子（ポリマー）の配向の影響が考慮されるため、延伸して配向させた高分子の複屈折率を精度良く計算することができる。
【００４２】
このように算出された複屈折率は、フィルムやシートに用いられる新たなポリマーの設計に用いられる。本実施形態によれば、情報処理装置による計算で複屈折率を得ることができるので、ポリマーを実際に合成して測定するよりも迅速かつ安価に複屈折率を得ることができる。従って、所望の複屈折率を有するポリマーの合成を容易に行うことができる。
【００４３】
また、本実施形態のように、延伸をモデルの体積を一定として予め設定された一方向に延伸させることとすれば、実際の高分子に即した状態が得られるので複屈折率をより精度良く計算することができる。また、本実施形態のように、延伸されたモデルを緩和させることとすれば、実際の高分子に即した状態が得られるので複屈折率をより精度良く計算することができる。その緩和をモデルの体積を一定として行うこととすれば、実際の高分子に即した状態が得られるので複屈折率を更に精度良く計算することができる。
【００４４】
また、本実施形態のように、屈折率を算出してその屈折率に基づいて複屈折率を算出することとすれば、確実に高分子の複屈折率を計算することができる。
【００４５】
［第２の処理］
本処理は、高分子の複屈折率を計算するための処理である上記第１の処理を用いて、所望の複屈折率を有する高分子を探索するための処理である。
【００４６】
図３に示すように、高分子のモデルのアモルファス状態の生成（Ｓ０１）から、複屈折率の算出（Ｓ０４）までは、第１の処理と同様である。なお、本処理では、パラメータを変更して再度高分子のモデルを生成するために、予め複数のパラメータを予めに複屈折率計算装置１０に入力しておき、複屈折率計算装置１０（のメモリ上）に格納しておく。
【００４７】
ここで、変更対象のパラメータとなるのは、例えば、高分子を構成するモノマーに関するパラメータである。ここでいうモノマーは、モノマー分子（monomer molecule）ではなく、モノマー単位（monomeric unit）を意味する。モノマーに関するパラメータは、具体的には、モノマーを構成する原子の種類、各原子の座標、原子間の結合の種類等である。複屈折率の計算に用いられるモノマーの具体的な例としては、エチレン単位、プロピレン単位及び１−ブテン単位等のαオレフィン単位と、ノルボルネン単位及びジメタノオクタヒドロナフタレン単位等の脂環族炭化水素基を有する単位と、スチレン単位及び２−ビニルナフタレン単位等の芳香族炭化水素基を有する単位と、メチレンオキシド単位、エチレンオキシド単位及びプロピレンオキシド単位等のエーテル基を有する単位となどがある。最初に複屈折率の計算に用いられるモノマーは任意に選択される。
【００４８】
上記の処理（Ｓ０１〜Ｓ０４）が終了すると、判断部１５により複屈折率が予め設定された終了条件を満足しているか否かが判断される（Ｓ０６、判断ステップ）。予め設定された終了条件とは、具体的には例えば、予め設定された上限の閾値と下限の閾値とから定まる範囲に入っているというものである。これらの閾値は、予め判断部１５により記憶されている。
【００４９】
判断部１５により、終了条件を満足してないと判断された場合は、判断部１５によりアモルファス状態生成部１１に対して、パラメータの値を変更させて、高分子モデルを生成するように制御がなされる（Ｓ０８、判断ステップ）。具体的には高分子のモノマー構造等の高分子の構造を変更する。高分子のモノマー構造の変更は、高分子を構成するモノマーを他のモノマーに変更したり、新たなモノマーを共重合させたりすることにより行うことができる。変更あるいは共重合させるモノマーは、上記のように予め情報が格納されたモノマーから選択される。高分子の構造の変更は、高分子を構成するモノマーの配列を変更したり、高分子鎖に分岐を形成したりすることにより行うこともできる。
【００５０】
選択されるモノマーは、算出された複屈折率が所望の値の範囲よりも大きかった場合（上限の閾値を超えていた場合）、芳香族炭化水素基を有する単位であるのが好ましい。芳香族炭化水素基を有する単位は、複屈折率を低減させる効果があり、芳香環が多いほど効果的である。また、共重合させる場合には、共重合させる量を多くさせるほど、効果的である。芳香族炭化水素基を有する単位としては、スチレン単位、２−ビニルナフタレン単位等がある。
【００５１】
また、選択されるモノマーは、算出された複屈折率が所望の値の範囲よりも小さかった場合（下限の閾値を下回っていた場合）、エーテル基を有する単位であるのが好ましい。エーテル基を有する単位は、複屈折率を増加させる効果があり、エーテル基に由来する酸素原子が多いほど効果的である。また、共重合させる場合には、共重合させる量を多くさせるほど、効果的である。エーテル基を有する単位としては、メチレンオキシド単位、エチレンオキシド単位等がある。
【００５２】
選択されるモノマー、モノマー構造の変更のさせ方（モノマーを変更するか、モノマーを共重合させるか）、モノマーの配列のさせ方（モノマーの配列順序、立体的な向き）、及び分岐のさせ方（分岐の数、位置、長さ）の情報については、予め判断部１５に記憶させておき、それに基づいて高分子の構造の変更が行われる。アモルファス状態生成部１１により再度高分子が生成された後は、再度、複屈折率の計算の一連の処理（Ｓ０１〜Ｓ０４）が行われる。
【００５３】
判断部１５により、終了条件を満足していると判断された場合は、複屈折率の情報は出力部１４に送信され、出力部１４により出力される（Ｓ０７、出力ステップ）。出力の際、複屈折率の情報と併せて、当該複屈折率の算出対象となった高分子のパラメータも出力する。具体的には、高分子を構成するモノマーの情報、また、高分子が共重合体である場合、ポリマーを構成するモノマーの共重合組成比、モノマーの配列順序、モノマーの立体的な向き、また分岐を形成する場合は、分岐の数、位置、長さ等である。これらを参照して、所望の複屈折率を有する高分子の設計を更に容易に行うことができる。
【実施例１】
【００５４】
本実施形態に係る複屈折率計算方法により、高分子の複屈折率を算出した実施例を示す。高分子の複屈折率を実測し、その複屈折率と本実施形態に係る複屈折率計算方法により算出した複屈折率と比較した。次の３つの高分子に対して複屈折率の実測及び算出を行った。
【００５５】
（１）ポリスチレンＧ４４０Ｋ（日本ポリスチレン株式会社製）。実測前に以下の処理を施した。卓上プレスにて２３０℃で５分予熱した後、１００ｋｇｆ／ｃｍ２の圧力で１分加圧した。その後、３０℃に調整した卓上プレスに移動させ５分放置し、１６０ｍｍ角、厚さ１５０μｍのフィルムを作成した。
【００５６】
（２）エチレン／ノルボルネン共重合体Ｔｏｐａｓ６０１３（チコナ社製）。実測前に以下の処理を施した。卓上プレスにて２８０℃で５分予熱した後、１００ｋｇｆ／ｃｍ２の圧力で１分加圧した。その後、３０℃に調整した卓上プレスに移動させ５分放置し、１６０ｍｍ角、厚さ１５０μｍのフィルムを作成した。
【００５７】
（３）エチレン／テトラシクロドデセン共重合体アペル５０１４Ｄ（三井化学社製）。実測前に以下の処理を施した。卓上プレスにて２８０℃で５分予熱した後、１００ｋｇｆ／ｃｍ２の圧力で１分加圧した。その後、３０℃に調整した卓上プレスに移動させ５分放置し、１６０ｍｍ角、厚さ１５０μｍのフィルムを作成した。
【００５８】
上記３つの高分子に対して、以下のように複屈折率を実測した。まず、プレス成形により得られたフィルムを、長さ７０ｍｍ（延伸方向）×幅３０ｍｍに切り出し試験片とした。続いて、引張試験機ＡＧＳ５００Ｄ（恒温槽付き、島津製作所株式会社製）を用い、恒温槽を延伸温度から＋１０℃に調整しておく。フィルム試験片をチャック間隔３０ｍｍで取付け、引張速度１．６７×１０−３［ｍ／ｓ］で所定の延伸比まで延伸した。冷却後、計測機器ＫＯＢＲＡ２１ＡＤＨ（王子計測機器株式会社製）により位相差を測定した。延伸後に厚みを測定し、複屈折率＝位相差／厚みを計算した。実測結果を以下に示す。
【表１】
0004791255.tif 000005
【００５９】
引き続き、上記の３つの高分子の複屈折率を本実施形態に係る複屈折率計算方法により算出した実施例を示す。高分子のモデルの生成については、分子シミュレーション用ソフトウェアパッケージ「Ｊ−ＯＣＴＡ」（株式会社日本総研社）を用いた。また、モデル生成の際の力場パラメータとしては、ＡＭＢＥＲを用いた。各ステップでの分子動力学シミュレーションについては、ソフトマテリアルに対する統合化シミュレータである「ＯＣＴＡ」のシミュレーションエンジンである汎用粗視化分子動力学シミュレータ「ＣＯＧＮＡＣ」（財団法人化学技術戦略推進機構）を用いた。以下、各高分子についての、複屈折率の計算について説明する。
【００６０】
（１）ポリスチレンに関して、セルの形状を立方体として、モノマー数５０のポリマー４本からなるモデルの初期構造を生成した。境界条件は、３次元周期境界条件とした。そのモデルに対して、アンサンブルＮＶＥ、初期温度３７８Ｋ、圧力０．０５ａｔｍで、時間刻み２ｆｓ、計算時間２０ｐｓの分子動力学シミュレーションを行った後、アンサンブルＮＰＴ、温度３７８Ｋ、圧力３３００ＭＰａで、時間刻み２ｆｓ、計算時間２０ｐｓの分子動力学シミュレーションを行い、モデルをアモルファス状態とした。セルの形状は、常に立方体とした。
【００６１】
アモルファス構造のモデルを、アンサンブルＮＶＴ、温度３７８Ｋ、セルの１辺サイズ３．３８ｎｍ、密度０．９、時間刻み２ｆｓ、計算時間３０ｐｓで、セルをｚ軸方向に一定速度５．００×１０２［ｍ／ｓ］で延伸させる分子動力学シミュレーションを行った。延伸において、セルが直方体になるように、頂点の角度を９０度に固定した。延伸方向以外のｘ軸方向及びｙ軸方向のセルの辺の長さは、等しい長さを保つようにした。以下の式で表される、時刻ｔにおけるｚ軸方向のセル長さｚｔと初期のセル長さｚ０との比をを延伸比λとする。
λ  ＝  ｚｔ／ｚ０
【００６２】
（２）ポリスチレンのアモルファス構造のモデルを用いて、一定速度を５［ｍ／ｓ］、計算時間を３０００ｐｓとした以外は、（１）と同様の方法で延伸させる分子動力学シミュレーションを行った。
【００６３】
分子動力学シミュレーション結果を４００ｆｓ毎に保存し、モデル内に存在する原子の座標から、原子間結合のベクトルを算出した。分極率算出の際に用いられる、結合分極パラメータは以下の表に示される値（K.G.Denbigh; Trans. Faraday Soc., 36, 936(1940)に記載の値）を用いた。
【表２】
0004791255.tif 000006
分子容（式（２）におけるＶ）は、D.W.Van Krevelan; “Properties of Polymers”, 2nd ed. Elsevier,Amsterdam(1976)pp.56〜59に記載されている計算値である９８を用いた。なお、上記に記載させた条件では、延伸ステップにおいて緩和を行わない場合の複屈折率が計算される。
【００６４】
（３）延伸ステップにおいて緩和を行う場合の複屈折は次のように求められる。即ち、（１）の延伸ステップにおいて、延伸比３になるように延伸させた状態から、アンサンブルＮＶＥ、初期温度３７８Ｋ、時間刻み２ｆｓ、計算時間１０００ｐｓの分子動力学シミュレーションを行う。セルの形状は一定とした。計算時間における８００ｐｓから１０００ｐｓまでの間（複屈折率がほぼ定常状態となっている間）の複屈折率を２０ｐｓ刻みで計算した平均値を、緩和を行った場合の複屈折率とする。
【００６５】
（４）〜（６）エチレンとノルボルネンとの交互共重合体（エチレン／ノルボルネン共重合体）に関して、エチレン数２５、ノルボルネン数２５のポリマー４本からなるモデルの初期構造を生成した。分子動力学シミュレーションにおける初期温度は、４２３Ｋとした。分子容（式（２）におけるＶ）は、D.W.Van Krevelan; “Properties of Polymers”, 2nd ed. Elsevier,Amsterdam(1976)pp.56〜59に記載されている分子容の計算パラメータを用いた計算値である１２１．６５を用いた。アモルファス構造のモデルを密度１．０２、セルの一辺サイズ２．７１ｎｍとした以外は（１）〜（３）ポリスチレンの場合と同様に複屈折率を計算した。
【００６６】
（７）〜（９）エチレンとテトラシクロドデセンとの共重合体（エチレン／テトラシクロドデセン共重合体）に関して、エチレン数３２、テトラシクロドデセン数１６のポリマー４本からなるモデルの初期構造を生成した。エチレン及びテトラシクロドデセンの配列は、エチレン／テトラシクロドデセン／エチレンの繰り返しとした。分子動力学シミュレーションにおける初期温度は、４２４Ｋとした。分子容（式（２）におけるＶ）は、D.W.Van Krevelan; “Properties of Polymers”, 2nd ed. Elsevier,Amsterdam(1976)pp.56〜59に記載されている分子容の計算パラメータを用いた計算値である１７７．５を用いた。アモルファス構造のモデルを密度１．０４、セルの一辺サイズ２．９４ｎｍとした以外は（１）〜（３）ポリスチレンの場合と同様に複屈折率を計算した。
【００６７】
上記の３つの高分子の複屈折率について、延伸ステップにおいて延伸のみを行った場合、及び延伸後に緩和を行った場合それぞれについて以下の表に示す（上述した実測値についても併せて示す）。
【表３】
0004791255.tif 000007
【表４】
0004791255.tif 000008
表３及び表４に示した値から分かるように、本実施形態に係る複屈折率計算方法によれば、複屈折率を精度良く計算することができる。また、延伸後に緩和を行った場合、更に精度良く計算できている。
【図面の簡単な説明】
【００６８】
【図１】本発明の実施形態に係る複屈折率計算装置の構成図である。
【図２】本発明の実施形態に係る複屈折率計算方法を示すフローチャートである。
【図３】本発明の実施形態に係る複屈折率計算方法を示すフローチャートである。
【符号の説明】
【００６９】
１０…複屈折率計算装置、１１…アモルファス状態生成部、１２…延伸部、１３…複屈折率算出部、１４…出力部、１５…判断部、２０…外部装置。
【図１】
0004791255.tif 000009
【図２】
0004791255.tif 000010
【図３】
0004791255.tif 000011